(57)【要約】      （修正有）【課題】骨固定材セットの提供。【解決手段】可撓式骨板１００及び少なくとも一つの液圧式骨釘２００を含む骨固定材セットが提供される。可撓式骨板は、適切な幅の引張及び／または湾曲を提供する弾性可撓性パーツと、両端の骨固定端とを含み、そのうち両端の骨固定端はそれぞれが複数個の固定孔を有する。少なくとも一つの液圧式骨釘２００は螺入部、延伸部、延伸部の中心部位に設置される凹槽、そして伸縮ロッドを含む。伸縮ロッドは凹槽の外に露出するａ端、及び凹槽に挿入されるｂ端を有する。少なくとも一つの液圧式骨釘を損傷した骨の螺入孔に螺入すると、損傷した骨の組織液が凹槽に流入し、更に可撓式骨板が少なくとも一つの液圧式骨釘を嵌入した後、伸縮ロッドを凹槽中に押入する。この時組織液の抵抗力によって、伸縮ロッドが垂直液圧の設計を形成し、可撓式骨板が適度な垂直変位幅を獲得する。【選択図】図１
0003225538.tif 000002
【実用新案登録請求の範囲】
【請求項１】
可撓式骨板であり、弾性可撓性パーツ、第一骨固定端及び第二骨固定端を含み、
前記弾性可撓性パーツが複数個の連続する湾折状を呈することで、適切な幅の引張及び／または湾曲を提供し、
前記第一骨固定端が前記弾性可撓性パーツの一端と連接し、複数個の第一固定孔を備え、損傷した骨の一端を固定するのに用いられ、且つ複数個の前記第一固定孔が多辺形設計を呈し、
前記第二骨固定端が前記弾性可撓性パーツの前記第一骨固定端とは異なるもう一方の一端と連接し、複数個の第二固定孔を備え、損傷した骨のもう一方の一端を固定するのに用いられ、且つ複数個の前記第二固定孔が多辺形設計を呈することを特徴とする可撓式骨板。
【請求項２】
複数個の前記連続する湾折状がＵ字形の連続する湾折状である、または弓字形の連続する湾折状であることを特徴とする、請求項１に記載の可撓式骨板。
【請求項３】
複数個の前記第一固定孔及び複数個の前記第二固定孔の多辺形設計の内角の和が１８０度乃至７２０度の間であることを特徴とする、請求項１に記載の可撓式骨板。
【請求項４】
複数個の前記第一固定孔及び複数個の前記第二固定孔が正多辺形設計を呈することを特徴とする、請求項１に記載の可撓式骨板。
【請求項５】
複数個の前記第一固定孔及び複数個の前記第二固定孔の正多辺形設計が正六辺形を呈することを特徴とする、請求項４に記載の可撓式骨板。
【請求項６】
複数個の前記第一固定孔及び複数個の前記第二固定孔が、中心軸の方向に沿ってそれぞれ「１」の字形、「一」の字形、「Ｙ」の字形、「Ｔ」の字形または「口」の字形の排列を呈することを特徴とする、請求項１に記載の可撓式骨板。
【請求項７】
液圧式骨釘であり、螺入部、延伸部、凹槽及び伸縮ロッドを含み、
前記螺入部がねじ山を呈し、患者の損傷した骨上の螺入点に螺入され、
前記延伸部が前記螺入部の上に設置され、多辺形設計を呈することで、可撓式骨板の複数個の第一固定孔及び複数個の第二固定孔に嵌入して固定され、
前記凹槽が前記延伸部の中心部位において内向きに凹設され、多辺形設計を呈し、液体の収容に用いられ、
前記伸縮ロッドが平頭画鋲状を呈し、分離を可能として前記凹槽に対応して前記凹槽へ挿入され、頭部とロッド部を含み、
前記頭部が、その面積を前記可撓式骨板の複数個の前記第一固定孔及び複数個の前記第二固定孔の面積より大きくし、前記伸縮ロッドが前記凹槽に挿入されると、前記可撓式骨板の垂直変位幅を制限し、
前記ロッド部が前記頭部に連接し、ａ端及びｂ端を含み、前記ａ端が前記凹槽の外に露出し、前記ｂ端が前記凹槽と一致及び対応する多辺形設計を呈し、前記凹槽内に挿入され、且つ前記液体が生成する抵抗力によって垂直液圧伸縮の設計を形成することを特徴とする液圧式骨釘。
【請求項８】
前記延伸部の多辺形設計の内角の和が１８０度乃至７２０度の間であることを特徴とする、請求項７に記載の液圧式骨釘。
【請求項９】
前記延伸部の多辺形設計が正多辺形設計を呈することを特徴とする、請求項７に記載の液圧式骨釘。
【請求項１０】
前記延伸部の正多辺形設計が正六辺形を呈することを特徴とする、請求項９に記載の液圧式骨釘。
【請求項１１】
前記延伸部の多辺形設計と、前記可撓式骨板の複数個の前記第一固定孔及び複数個の前記第二固定孔の多辺形設計とが完全に合致することを特徴とする、請求項７に記載の液圧式骨釘。
【請求項１２】
前記ロッド部、前記凹槽及び前記延伸部の多辺形設計が対応して一致する形状であることを特徴とする、請求項７に記載の液圧式骨釘。
【請求項１３】
前記凹槽が収容する液体が、人体の浸透圧及びｐＨ値に近いまたは人体の浸透圧及びｐＨ値と同様の、予め注入される等張抗菌液であることを特徴とする、請求項７に記載の液圧式骨釘。
【請求項１４】
前記凹槽が収容する液体が、記螺入部が患者の骨に螺入される際に滲み出る組織液であることを特徴とする、請求項７に記載の液圧式骨釘。
【請求項１５】
損傷した骨の修復に用いられる骨固定材セットであり、請求項１乃至６のいずれかに記載の可撓式骨板、及び請求項７乃至１４のいずれかに記載の少なくとも一つの液圧式骨釘を含み、前記可撓式骨板が前記液圧式骨釘の上において嵌接されることを特徴とする骨固定材セット。
【請求項１６】
少なくとも一つの前記液圧式骨釘の前記伸縮ロッドが、前記可撓式骨板の複数個の前記第一固定孔及び複数個の前記第二固定孔が少なくとも一つの前記液圧式骨釘の前記延伸部を嵌入及び固定した後において、更に少なくとも一つの前記液圧式骨釘の対応する前記凹槽内に挿入されることで、前記可撓式骨板の垂直変位幅を制限することを特徴とする、請求項１５に記載の骨固定材セット。
【考案の詳細な説明】
【技術分野】
【０００１】
本考案は骨固定材に関し、特に、改良型の骨板及び骨釘による骨固定材セットである。
【背景技術】
【０００２】
骨格は人体を支えるうえで欠かせないものであり、骨格が損傷した際は更なる傷害を防ぐために、通常は骨固定材による固定といった治療法が用いられる。
【０００３】
従来における骨板及び骨釘といった骨固定材の技術開発は、その多くが手術の便利さ、固定の正確さ、そして材料と生体の相溶性に重きを置いており、例えば台湾特許公開号２０１７３９４２５、及び同２０１７３５８７１においてその技術的特徴が見受けられる。また、異なる部位の骨の損傷に基づいて設計された発明や考案も多く見られ、例えば関節箇所に基づいた同２０１７１７８５５、顎骨に基づいた同２０１８１７３９３等が挙げられるが、いずれも整形外科治療の効率化と利便性を実現している。
【先行技術文献】
【特許文献】
【０００４】
【特許文献１】台湾特許公開号２０１７３９４２５
【特許文献２】台湾特許公開号２０１７３５８７１
【特許文献３】台湾特許公開号２０１７１７８５５
【特許文献４】台湾特許公開号２０１８１７３９３
【考案の概要】
【考案が解決しようとする課題】
【０００５】
しかし、本考案の考案者は、現在使用される骨固定材の多くが複雑で硬いため、医師の手術時における精神力と時間の浪費を招くこと、そして骨の損傷が間接箇所にある場合、患者にとって不快感があることを懸念する。そのため、簡単で安定しており、且つ弾性を備える骨固定材セットを考案するに至った。
【課題を解決するための手段】
【０００６】
本考案は骨固定材セットであり、可撓式骨板及び少なくとも一つの液圧式骨釘を含む。
【０００７】
本考案の可撓式骨板は弾性可撓性パーツ、第一骨固定端及び第二骨固定端を含む。弾性可撓性パーツは複数個の連続する湾折状を呈することで、適切な幅の引張及び／または湾曲を提供する。第一骨固定端は弾性可撓性パーツの一端と連接し、複数個の第一固定孔を備え、損傷した骨の一端を固定するのに用いられ、且つ複数個の第一固定孔は多辺形設計を呈する。第二骨固定端は弾性可撓性パーツの第一骨固定端とは異なるもう一方の一端と連接し、複数個の第二固定孔を備え、損傷した骨のもう一方の一端を固定するのに用いられ、且つ複数個の第二固定孔は多辺形設計を呈する。
【０００８】
本考案の可撓式骨板の好ましい実施形態において、複数個の連続する湾折状はＵ字形の連続する湾折状であり、または弓字形の連続する湾折状である。
【０００９】
本考案の可撓式骨板の好ましい実施形態において、複数個の第一固定孔及び複数個の第二固定孔の多辺形設計の内角の和は１８０度乃至７２０度の間である。
【００１０】
本考案の可撓式骨板の好ましい実施形態において、複数個の第一固定孔及び複数個の第二固定孔は正多辺形設計を呈し、更に好ましくは、複数個の第一固定孔及び複数個の第二固定孔の正多辺形設計は正六辺形を呈する。
【００１１】
本考案の可撓式骨板の好ましい実施形態において、複数個の第一固定孔及び複数個の第二固定孔は、中心軸の方向に沿ってそれぞれ「１」の字形、「一」の字形、「Ｙ」の字形、「Ｔ」の字形または「口」の字形の排列を呈する。
【００１２】
本考案の液圧式骨釘は可撓式骨板と合わせて用い、螺入部、延伸部、凹槽及び伸縮ロッドを含む。螺入部はねじ山を呈し、患者の損傷した骨の上の螺入点に螺入される。延伸部は螺入部の上に設置され、多辺形設計を呈することで、可撓式骨板の複数個の第一固定孔及び複数個の第二固定孔に嵌入して固定される。凹槽は延伸部の中心部位において内向きに凹設され、多辺形設計を呈し、液体の収容に用いられる。伸縮ロッドは平頭画鋲状を呈し、分離を可能として凹槽に対応して挿入され、頭部とロッド部を含む。頭部の面積は可撓式骨板の複数個の第一固定孔及び複数個の第二固定孔の面積より大きく、伸縮ロッドが凹槽に挿入されると、可撓式骨板の垂直変位の幅を制限する。ロッド部は頭部に連接し、ａ端及びｂ端を含む。ａ端は凹槽の外に露出し、ｂ端は凹槽と一致する多辺形設計を呈し、凹槽内に対応して挿入され、且つ前記液体により生成される抵抗力によって垂直液圧伸縮の設計を形成する。
【００１３】
本考案の液圧式骨釘の好ましい実施形態において、延伸部の多辺形設計の内角の和は１８０度乃至７２０度の間である。
【００１４】
本考案の液圧式骨釘の好ましい実施形態において、延伸部の多辺形設計は正多辺形設計を呈し、更に好ましくは、延伸部の正多辺形設計は正六辺形を呈する。
【００１５】
本考案の液圧式骨釘の更に好ましい実施形態において、延伸部の多辺形設計と、可撓式骨板の複数個の第一固定孔及び複数個の第二固定孔の多辺形設計とは完全に合致する。
【００１６】
本考案の液圧式骨釘の更に好ましい実施形態において、ロッド部、凹槽及び延伸部の多辺形設計は対応して一致する形状である。
【００１７】
本考案の液圧式骨釘の更に好ましい実施形態において、凹槽が収容する液体は、人体の浸透圧及びｐＨ値に近いかそれと同様の予め注入される等張抗菌液、または螺入部が患者の骨に螺入される際に滲み出る組織液である。
【００１８】
本考案の骨固定材セットは３Ｄプリンタにより製成されるため、患者ごとの骨格患部の要求にカスタマイズしつつ、美しく整った正六辺形の骨板固定孔及び骨釘延伸部を設計することができる。
【００１９】
本考案による骨固定材セットの実施形態において、まず、少なくとも一つの液圧式骨釘を損傷した骨上の螺入点に螺入する。次に、可撓式骨板への嵌入が行われ、前記骨板の複数個の固定孔と前記骨釘の延伸部との形状が完全に合致することから、嵌入時には緊密に結合する。又、骨釘が螺入される際若干の組織液が滲み出て、前記組織液が骨釘の槽内に流入する。そして、骨板が骨釘を嵌入及び固定した後、更に伸縮ロッドを凹槽内に押入して固定して、液圧伸縮設計を形成し、これにより、前記骨板が適度な幅の引張及び／または湾曲を有することに加え、適度な垂直変位空間を有する。結果として、本考案は患者の術後の不快感を大幅に緩和し、また本考案の設計と実施方法が簡単であることから、医師の手術時における精神力と時間の浪費を防ぐ。
【００２０】
本考案は、従来の整形外科分野の術後において、骨板の形状に制限があるため骨釘の螺入される位置と螺入しようとする位置とで差が出てしまう問題を解決する。故に、従来の円形の固定孔及び骨釘の設計と比較して、本考案は骨板固定孔と骨釘との接合箇所が変位する問題を克服することで、骨釘の安定性を獲得している。
【図面の簡単な説明】
【００２１】
【図１】本考案の骨固定材セットを示す図である。
【図２】本考案の可撓式骨板の立体図である。
【図３】本考案の可撓式骨板の連続する湾折状の異なる実施形態の立体図であり、Ａ図はＵ字形の連続する湾折状の設計を示し、Ｂ図は弓字形の連続する湾折状の設計を示す。
【図４】本考案の可撓式骨板の異なる実施形態の立体図であり、複数個の第一固定孔及び複数個の第二固定孔は中心軸の方向に沿って、それぞれ「１」の字形の排列（Ａ図）、「一」の字形の排列（Ｂ図）、「Ｙ」の字形の排列（Ｃ図）、「Ｔ」の字形の排列（Ｄ図）、「口」の字形の排列（Ｅ図）を呈する。
【図５】本考案の液圧式骨釘の分解を示す立体図である。
【図６】本考案の液圧式骨釘の実施を示す図である。
【図７Ａ】本考案の骨固定材セットの実施において、少なくとも一つの液圧式骨釘を損傷した骨両端の螺入点に螺入する様子を示す図である。
【図７Ｂ】本考案の骨固定材セットの実施において、可撓式骨板へ嵌入する様子を示す図である。
【図７Ｃ】本考案の骨固定材セットの実施において、伸縮ロッドを凹槽中に押入する様子を示す図である。
【考案を実施するための形態】
【００２２】
本考案の最も好ましい実施形態のみを記載する。これは本考案を制限するものではない。
【００２３】
本考案は骨固定材セット１であり、図１に示すように可撓式骨板１００及び少なくとも一つの液圧式骨釘２００を含む。
【００２４】
図２に示すように、本考案の可撓式骨板１００は弾性可撓性パーツ１１０、第一骨固定端１２０及び第二骨固定端１３０を含む。弾性可撓性パーツ１１０は複数個の連続する湾折状を呈することで、適切な幅の引張及び／または湾曲を提供する。第一骨固定端１２０は弾性可撓性パーツ１１０の一端と連接し、複数個の第一固定孔１２１を備え、損傷した骨の一端を固定するのに用いられ、且つ複数個の第一固定孔１２１は多辺形設計を呈する。第二骨固定端１３０は弾性可撓性パーツ１１０の第一骨固定端１２０とは異なるもう一方の一端と連接し、複数個の第二固定孔１３１を備え、損傷した骨のもう一方の一端を固定するのに用いられ、且つ複数個の第二固定孔１３１は多辺形設計を呈する。
【００２５】
本考案の可撓式骨板１００の実施形態において、複数個の第一固定孔１２１及び複数個の第二固定孔１３１の多辺形設計の内角の和は１８０度乃至７２０度の間であり、好ましくは、複数個の第一固定孔１２１及び複数個の第二固定孔１３１は正多辺形を呈し、更に好ましくは、図２に示すように、複数個の第一固定孔１２１及び複数個の第二固定孔１３１は正六辺形を呈する。
【００２６】
本考案の可撓式骨板１００の好ましい実施形態において、図３に示すように、複数の前記連続する湾折状はＵ字形の連続する湾折状（Ａ図）であり、または弓字形の連続する湾折状（Ｂ図）である。
【００２７】
図４に示すように、本考案の可撓式骨板１００の複数個の第一固定孔１２１及び複数個の第二固定孔１３１は、中心軸の方向に沿って異なる排列方式を呈し、それぞれ「１」の字形の排列（Ａ図）、「一」の字形の排列（Ｂ図）、「Ｙ」の字形の排列（Ｃ図）、「Ｔ」の字形の排列（Ｄ図）、「口」の字形の排列（Ｅ図）となる。
【００２８】
図５に示すのは本考案の液圧式骨釘２００であり、液圧式骨釘２００は可撓式骨板１００と合わせて用い、螺入部２１０、延伸部２２０、凹槽２３０及び伸縮ロッド２４０を含む。螺入部２１０はねじ山を呈し、患者の損傷した骨の上の螺入点に螺入される。延伸部２２０は螺入部２１０の上に設置され、多辺形設計を呈することで、可撓式骨板１００の複数個の第一固定孔１２１及び複数個の第二固定孔１３１に嵌入して固定される。凹槽２３０は延伸部２２０の中心部位において内向きに凹設され、多辺形設計を呈し、液体の収容に用いられる。伸縮ロッド２４０は平頭画鋲状を呈し、分離を可能として凹槽２３０に対応して挿入され、頭部２４１とロッド部２４２を含む。頭部２４１の面積は可撓式骨板１００の複数個の第一固定孔１２１及び複数個の第二固定孔１３１の面積より大きく、伸縮ロッド２４０が凹槽２３０に挿入されると、可撓式骨板１００の垂直変位の幅を制限する。ロッド部２４２は頭部２４１に連接し、ａ端２４２１及びｂ端２４２２を含む。ａ端は凹槽２３０の外に露出し、ｂ端は凹槽２３０と一致する多辺形設計を呈し、凹槽２３０内に対応して挿入され、且つ前記液体により生成される抵抗力によって垂直液圧伸縮の設計を形成する。
【００２９】
本考案の液圧式骨釘２００の実施形態において、延伸部２２０の多辺形設計の内角の和は１８０度乃至７２０度の間であり、好ましくは、延伸部２２０は正多辺形を呈し、更に好ましくは、図５に示すように、延伸部２２０は正六辺形の設計を呈する。
【００３０】
本考案の液圧式骨釘２００の更に好ましい実施形態において、延伸部２２０の多辺形設計と、可撓式骨板１００複数個の第一固定孔１２１及び複数個の第二固定孔１３１の多辺形設計とは完全に合致する。
【００３１】
本考案の液圧式骨釘２００の更に好ましい実施形態において、ロッド部２４２、凹槽２３０及び延伸部２２０は対応して一致する正六辺形である。
【００３２】
本考案の液圧式骨釘２００の更に好ましい実施形態において、凹槽２３０が収容する液体は、人体の浸透圧及びｐＨ値に近いかそれと同様の予め注入される等張抗菌液、または螺入部２１０が患者の骨に螺入される際に滲み出る組織液である。
【００３３】
図６に示すように、本考案の液圧式骨釘２００の実施形態は以下のようになる。まず液圧式骨釘２００の螺入部２１０を、患者の損傷した骨３００の螺入点３０１に螺入する。この時若干の組織液３０２が滲み出て液圧式骨釘２００の凹槽２３０に流入する。その後伸縮ロッド２４０を凹槽２３０中に押入し、伸縮ロッド２４０は凹槽２３０内の組織液３０２により生成される抵抗力によって垂直液圧伸縮の設計を形成する。
【００３４】
本考案による骨固定材セット１の実施形態は図７Ａ乃至７Ｃに示す通りである。まず、少なくとも一つの液圧式骨釘２００を患者の損傷した骨３００の螺入点３０１に螺入するが、この時若干の組織液３０２が滲み出て、少なくとも一つの液圧式骨釘２００の凹槽２３０内に流入する（図７Ａ参照）。次に、可撓式骨板１００の複数個の第一固定孔１２１及び複数個の第二固定孔１３１が、少なくとも一つの液圧式骨釘２００の延伸部２２０を嵌入するが、可撓式骨板１００の複数個の第一固定孔１２１及び複数個の第二固定孔１３１と、少なくとも一つの液圧式骨釘２００の延伸部２２０との形状が完全に合致するため、嵌入時には緊密な結合が可能で脱落や滑動を起こさない（図７Ｂ参照）。そして、可撓式骨板１００が少なくとも一つの液圧式骨釘２００を嵌入及び固定した後、更に伸縮ロッド２４０を凹槽２３０内に押入して固定して、液圧伸縮設計を形成し、これにより、可撓式骨板１００が適度な幅の引張及び／または湾曲を有することに加え、更に適度な垂直変位空間を有する（図７Ｃ参照）。
【００３５】
本考案の骨固定材セットは患者の術後の不快感を大幅に緩和する。また本考案の設計と実施方法は簡単であるため、医師の手術時における精神力と時間を浪費させない。
【００３６】
本考案の骨固定材セットは３Ｄプリンタにより製成されるため、美しく整った正六辺形による骨板固定孔、骨釘延伸部及び凹槽を設計することができる。
【符号の説明】
【００３７】
１        骨固定材セット
１００    可撓式骨板
１１０    弾性可撓性パーツ
１２０    第一骨固定端
１２１    第一固定孔
１３０    第二骨固定端
１３１    第二固定孔
２００    液圧式骨釘
２１０    螺入部
２２０    延伸部
２３０    凹槽
２４０    伸縮ロッド
２４１    頭部
２４２    ロッド部
２４２１  ａ端
２４２２  ｂ端
３００    損傷した骨
３０１    螺入点
３０２    組織液
【図１】
0003225538.tif 000003
【図２】
0003225538.tif 000004
【図３】
0003225538.tif 000005
【図４】
0003225538.tif 000006
【図５】
0003225538.tif 000007
【図６】
0003225538.tif 000008
【図７Ａ】
0003225538.tif 000009
【図７Ｂ】
0003225538.tif 000010
【図７Ｃ】
0003225538.tif 000011
【手続補正書】
【提出日】令和2年1月8日(2020.1.8)
【手続補正１】
【補正対象書類名】実用新案登録請求の範囲
【補正対象項目名】全文
【補正方法】変更
【補正の内容】
【実用新案登録請求の範囲】
【請求項１】
可撓式骨板であり、弾性可撓性パーツ、第一骨固定端及び第二骨固定端を含み、
前記弾性可撓性パーツが複数個の連続する湾折状を呈することで、適切な幅の引張及び／または湾曲を提供し、
前記第一骨固定端が前記弾性可撓性パーツの一端と連接し、複数個の第一固定孔を備え、損傷した骨の一端を固定するのに用いられ、且つ複数個の前記第一固定孔が多辺形設計を呈し、
前記第二骨固定端が前記弾性可撓性パーツの前記第一骨固定端とは異なるもう一方の一端と連接し、複数個の第二固定孔を備え、損傷した骨のもう一方の一端を固定するのに用いられ、且つ複数個の前記第二固定孔が多辺形設計を呈することを特徴とする可撓式骨板。
【請求項２】
複数個の前記連続する湾折状がＵ字形の連続する湾折状である、または弓字形の連続する湾折状であることを特徴とする、請求項１に記載の可撓式骨板。
【請求項３】
複数個の前記第一固定孔及び複数個の前記第二固定孔の多辺形設計の内角の和が１８０度乃至７２０度の間であることを特徴とする、請求項１に記載の可撓式骨板。
【請求項４】
複数個の前記第一固定孔及び複数個の前記第二固定孔が正多辺形設計を呈することを特徴とする、請求項１に記載の可撓式骨板。
【請求項５】
複数個の前記第一固定孔及び複数個の前記第二固定孔の正多辺形設計が正六辺形を呈することを特徴とする、請求項４に記載の可撓式骨板。
【請求項６】
複数個の前記第一固定孔及び複数個の前記第二固定孔が、中心軸の方向に沿ってそれぞれ「１」の字形、「一」の字形、「Ｙ」の字形、「Ｔ」の字形または「口」の字形の排列を呈することを特徴とする、請求項１に記載の可撓式骨板。
【請求項７】
液圧式骨釘であり、螺入部、延伸部、凹槽及び伸縮ロッドを含み、
前記螺入部がねじ山を呈し、患者の損傷した骨上の螺入点に螺入され、
前記延伸部が前記螺入部の上に設置され、多辺形設計を呈することで、請求項１乃至６に記載の可撓式骨板の複数個の第一固定孔及び複数個の第二固定孔に嵌入して固定され、
前記凹槽が前記延伸部の中心部位において内向きに凹設され、多辺形設計を呈し、液体の収容に用いられ、
前記伸縮ロッドが平頭画鋲状を呈し、分離を可能として前記凹槽に対応して前記凹槽へ挿入され、頭部とロッド部を含み、
前記頭部が、その面積を前記可撓式骨板の複数個の前記第一固定孔及び複数個の前記第二固定孔の面積より大きくし、前記伸縮ロッドが前記凹槽に挿入されると、前記可撓式骨板の垂直変位幅を制限し、
前記ロッド部が前記頭部に連接し、ａ端及びｂ端を含み、前記ａ端が前記凹槽の外に露出し、前記ｂ端が前記凹槽と一致及び対応する多辺形設計を呈し、前記凹槽内に挿入され、且つ前記液体が生成する抵抗力によって垂直液圧伸縮の設計を形成することを特徴とする液圧式骨釘。
【請求項８】
前記延伸部の多辺形設計の内角の和が１８０度乃至７２０度の間であることを特徴とする、請求項７に記載の液圧式骨釘。
【請求項９】
前記延伸部の多辺形設計が正多辺形設計を呈することを特徴とする、請求項７に記載の液圧式骨釘。
【請求項１０】
前記延伸部の正多辺形設計が正六辺形を呈することを特徴とする、請求項９に記載の液圧式骨釘。
【請求項１１】
前記延伸部の多辺形設計と、前記可撓式骨板の複数個の前記第一固定孔及び複数個の前記第二固定孔の多辺形設計とが完全に合致することを特徴とする、請求項７に記載の液圧式骨釘。
【請求項１２】
前記ロッド部、前記凹槽及び前記延伸部の多辺形設計が対応して一致する形状であることを特徴とする、請求項７に記載の液圧式骨釘。
【請求項１３】
前記凹槽が収容する液体が、人体の浸透圧及びｐＨ値に近いまたは人体の浸透圧及びｐＨ値と同様の、予め注入される等張抗菌液であることを特徴とする、請求項７に記載の液圧式骨釘。
【請求項１４】
前記凹槽が収容する液体が、前記螺入部が患者の骨に螺入される際に滲み出る組織液であることを特徴とする、請求項７に記載の液圧式骨釘。
【請求項１５】
損傷した骨の修復に用いられる骨固定材セットであり、請求項１乃至６のいずれかに記載の可撓式骨板、及び請求項７乃至１４のいずれかに記載の少なくとも一つの液圧式骨釘を含み、前記可撓式骨板が前記液圧式骨釘の上において嵌接されることを特徴とする骨固定材セット。
【請求項１６】
少なくとも一つの前記液圧式骨釘の前記伸縮ロッドが、前記可撓式骨板の複数個の前記第一固定孔及び複数個の前記第二固定孔が少なくとも一つの前記液圧式骨釘の前記延伸部を嵌入及び固定した後において、更に少なくとも一つの前記液圧式骨釘の対応する前記凹槽内に挿入されることで、前記可撓式骨板の垂直変位幅を制限することを特徴とする、請求項１５に記載の骨固定材セット。